(57)【要約】      （修正有）【課題】部品実装機により配線基板の実装面に迅速に精度よく実装し、しかも、カバー部材がアンロック状態でカバー部材の上面を配線基板の実装面に対し略平行に容易に保つことができるようにする。【解決手段】カバー部材１８の係止片部１８ＲＦ、１８ＬＦのガイド片２０ＰＡ、２０ＰＢが、それぞれ、係止爪２０ＲＮ１，２０ＲＮ４、２０ＬＮ１、および、２０ＬＮ４に係止されるとともに、係止片部１８ＲＦ、１８ＬＦの下端部がそれぞれ、係止爪２０ＲＮ２，２０ＲＮ３、２０ＬＮ２、および、２０ＬＮ３に受け止められた状態で、部品実装機によりコネクタ本体２０の底面部に対し略平行とされるカバー部材１８の上面部が吸着保持可能とされ、フレキシブル配線基板１０の接続端部が、ケーブルスロットを通じてケーブル収容部２０Ａに挿入可能な状態とされる。【選択図】図１
2013118089.tif 000002
【特許請求の範囲】
【請求項１】
ケーブルの接続端部を着脱可能に収容するケーブル収容部と、該ケーブルの接続端部を配線基板に電気的に接続する複数のコンタクト端子と、を有するコネクタ本体と、
導電性材料で作られ前記ケーブル収容部を覆うカバー部材と、を備え、
前記カバー部材が、前記ケーブル収容部に対し第１の位置をとる場合、該カバー部材の上面部が前記コネクタ本体の底面部および前記配線基板の実装面に対し略平行となるように、該カバー部材の両端がそれぞれ、前記コネクタ本体の複数の第１の係止爪に係止され、前記ケーブルの接続端部が該ケーブル収容部に対し着脱可能とされ、
前記カバー部材が前記ケーブル収容部に対し押し下げられ近接され第２の位置をとる場合、該カバー部材の複数の開口部の周縁が前記コネクタ本体の複数の第２の係止爪に係止され、該ケーブルの接続端部が前記複数のコンタクト端子に電気的に接続されることを特徴とするケーブル用コネクタ。
【請求項２】
前記カバー部材が前記ケーブル収容部に対し押し下げられ近接され第２の位置をとる場合、該カバー部材の一方の開口部の周縁が、前記コネクタ本体の一方の第２の係止爪に対し非係止状態とされるとき、該カバー部材の一端が、前記ケーブル収容部のケーブルスロットの開口面積を増大させるように、前記コネクタ本体の他方の第２の係止爪の回りに回動可能とされることを特徴とする請求項１記載のケーブル用コネクタ。
【請求項３】
前記カバー部材が前記ケーブル収容部に対し押し下げられ近接され第２の位置をとる場合、該カバー部材の一方の開口部の周縁が、所定の治具により、前記コネクタ本体の一方の第２の係止爪に対し非係止状態とされることを特徴とする請求項２記載のケーブル用コネクタ。
【請求項４】
前記カバー部材の一端が、前記ケーブル収容部のケーブルスロットの開口面積を増大させるように、前記コネクタ本体の他方の第２の係止爪の回りに回動可能とされる場合、該カバー部材の一端が、前記コネクタ本体の第１の係止爪により位置規制されることを特徴とする請求項２記載のケーブル用コネクタ。
【請求項５】
前記カバー部材が、前記ケーブル収容部に対し近接され前記第２の位置をとる場合、前記ケーブルの接続端部のグランド用コンタクトパッドに前記カバー部材の内周面が当接することにより、該カバー部材が、前記コネクタ本体における導電性の第２の係止爪および前記配線基板の導体層を通じて接地されることを特徴とする請求項１記載のケーブル用コネクタ。
【発明の詳細な説明】
【技術分野】
【０００１】
本発明は、ケーブル収容部を有するコネクタ本体と、コネクタ本体を覆うカバー部材とを備えるケーブル用コネクタに関する。
【背景技術】
【０００２】
ケーブル用コネクタは、プリント配線基板上に配され、例えば、ケーブルとしてフラットケーブル（ＦＦＣ）、または、フレキシブル配線基板（以下、ＦＰＣともいう）を介して電装品を接続するものとされる。ケーブル用コネクタは、例えば、特許文献１にも示されるように、ケーブルがコネクタ本体部のケーブル収容部に着脱される場合、押圧操作される押圧部を有するアクチュエータ部材と、アクチュエータ部材の押圧部を選択的にコネクタ本体部に対しロック状態とするロック／アンロック部材と、ケーブル収容部に配されるコンタクト端子とをコネクタ本体部に備えるものが提案されている。そのアクチュエータ部材における押圧部の両脇に形成される一対の脚部は、コネクタ本体部の内側に固定されている。弾性変位可能なアクチュエータ部材の押圧部は、ケーブルがコネクタ本体部のケーブル収容部にケーブルが装着されていないとき、あるいは、ケーブルがコネクタ本体部のケーブル収容部にケーブルの接続端が挿入されるとき、コネクタ本体部のケーブルスロットの開口面積を比較的大きくするように、アクチュエータ部材の押圧部が、所定の傾斜角度をもってコネクタ本体部の底面部、即ち、配線基板の実装面に交差するように傾斜している。
【０００３】
また、ケーブル用コネクタは、例えば、特許文献２にも示されるように、合成樹脂で矩形状に成形されたカバーハウジングと、複数個のコンタクトを有しカバーハウジングを回転可能に支持するベースハウジングとを含むものが提案されている。そのカバーハウジングは、その基端部に形成される回転用ピンを介してベースハウジングに回転可能に支持されている。カバーハウジングは、コンタクトの前端部の支持部材として底壁と、ＦＰＣの先端部を収容するＦＰＣ収容空間とを内側に有している。ＦＰＣがそのＦＰＣ収容空間に装着されていないとき、あるいは、ＦＰＣの先端部がそのＦＰＣ収容空間に挿入されるとき、カバーハウジングの上壁が、ベースハウジングの底面部、即ち、配線基板の実装面に交差するように所定の角度で傾斜している。また、カバーハウジングは、その両側に設けられる各係合突起がベースハウジングの各係止溝に係合されることにより、閉じた状態でロック状態とされベースハウジングに保持される。
【先行技術文献】
【特許文献】
【０００４】
【特許文献１】特開２００８−２８２７１８号公報
【特許文献２】特開２００８−１９８３９５号公報
【発明の概要】
【発明が解決しようとする課題】
【０００５】
ケーブル用コネクタ等を含む電装品が部品実装機（チップマウンター）等により配線基板の実装面に表面実装される場合、ケーブル用コネクタは、例えば、部品実装機により吸着保持された後、配線基板上に載置され上述のようなコンタクト端子（コンタクト）が半田付け固定されることとなる。斯かる場合、ケーブル用コネクタを迅速に精度よく実装するために部品実装機により吸着保持されるケーブル用コネクタの底面部が、配線基板の実装面に対し略平行となるような姿勢でケーブル用コネクタが部品実装機に保持される必要がある。
【０００６】
例えば、上述の特許文献１および特許文献２に示されるケーブル用コネクタにおいては、それぞれ、アクチュエータ部材（特許文献１）、および、カバーハウジング（特許文献２）が部品実装機により吸着保持される場合、ケーブル用コネクタの底面部が、配線基板の実装面に対し略平行となるように、アクチュエータ部材（特許文献１）、および、カバーハウジング（特許文献２）が、一旦、ロック状態とされた後、ケーブル用コネクタが配線基板の実装面に実装されることとなる。
【０００７】
しかしながら、ケーブルをそのようなケーブル用コネクタに接続するにあたり、ケーブル収容部を開放状態とすべく、アクチュエータ部材（特許文献１）、および、カバーハウジング（特許文献２）をアンロック状態した後、再度、ロック状態とする煩雑な作業が必要とされるという問題を伴う。
【０００８】
以上の問題点を考慮し、本発明は、ケーブル収容部を有するコネクタ本体と、コネクタ本体を覆うカバー部材とを備えるケーブル用コネクタであって、部品実装機により配線基板の実装面に迅速に精度よく実装され、しかも、カバー部材がアンロック状態でカバー部材の上面を配線基板の実装面に対し略平行に容易に保つことができるケーブル用コネクタを提供することを目的とする。
【課題を解決するための手段】
【０００９】
上述の目的を達成するために、本発明に係るケーブル用コネクタは、ケーブルの接続端部を着脱可能に収容するケーブル収容部と、ケーブルの接続端部を配線基板に電気的に接続する複数のコンタクト端子と、を有するコネクタ本体と、導電性材料で作られケーブル収容部を覆うカバー部材と、を備え、カバー部材が、ケーブル収容部に対し第１の位置をとる場合、カバー部材の上面部がコネクタ本体の底面部および配線基板の実装面に対し略平行となるように、カバー部材の両端がそれぞれ、コネクタ本体の複数の第１の係止爪に係止され、ケーブルの接続端部がケーブル収容部に対し着脱可能とされ、カバー部材がケーブル収容部に対し押し下げられ近接され第２の位置をとる場合、カバー部材の複数の開口部の周縁がコネクタ本体の複数の第２の係止爪に係止され、ケーブルの接続端部が複数のコンタクト端子に電気的に接続されることを特徴とする。
【００１０】
また、本発明に係るケーブル用コネクタは、カバー部材がケーブル収容部に対し押し下げられ近接され第２の位置をとる場合、カバー部材の一方の開口部の周縁が、コネクタ本体の一方の第２の係止爪に対し非係止状態とされるとき、カバー部材の一端が、ケーブル収容部のケーブルスロットの開口面積を増大させるように、コネクタ本体の他方の第２の係止爪の回りに回動可能とされてもよい。
【００１１】
カバー部材がケーブル収容部に対し押し下げられ近接され第２の位置をとる場合、カバー部材の一方の開口部の周縁が、所定の治具により、コネクタ本体の一方の第２の係止爪に対し非係止状態とされてもよい。
【００１２】
カバー部材の一端が、ケーブル収容部のケーブルスロットの開口面積を増大させるように、コネクタ本体の他方の第２の係止爪の回りに回動可能とされる場合、カバー部材の一端が、コネクタ本体の第１の係止爪により位置規制されてもよい。
【００１３】
さらに、カバー部材が、ケーブル収容部に対し近接され第２の位置をとる場合、ケーブルの接続端部のグランド用コンタクトパッドにカバー部材の内周面が当接することにより、カバー部材が、コネクタ本体における導電性の第２の係止爪および配線基板の導体層を通じて接地されてもよい。
【発明の効果】
【００１４】
本発明に係るケーブル用コネクタによれば、カバー部材が、ケーブル収容部に対し第１の位置をとる場合、カバー部材の上面部がコネクタ本体の底面部および配線基板の実装面に対し略平行となるように、カバー部材の両端がそれぞれ、コネクタ本体の複数の第１の係止爪に係止され、ケーブルの接続端部がケーブル収容部に対し着脱可能とされるので部品実装機により配線基板の実装面に迅速に精度よく実装され、しかも、カバー部材がアンロック状態でカバー部材の上面を配線基板の実装面に対し略平行に容易に保つことができる。
【図面の簡単な説明】
【００１５】
【図１】本発明に係るケーブル用コネクタの一例を、ケーブルの接続端部とともに示す斜視図である。
【図２】図１に示される例において、ケーブルの接続端部がケーブル用コネクタに接続された状態を示す斜視図である。
【図３】図１に示される例におけるコネクタ本体を示す斜視図である。
【図４】図１に示される例において用いられる治具の説明に供される斜視図である。
【図５】（Ａ）および（Ｂ）は、それぞれ、図１に示される例におけるケーブルの着脱の説明に供される斜視図である。
【発明を実施するための形態】
【００１６】
図１は、本発明に係るケーブル用コネクタの一例の全体構成を示す。
【００１７】
図１において、ケーブル用コネクタは、配線基板ＰＢ（図４参照）の実装面に実装され、後述するフレキシブル配線基板１０の一方の接続端に接続される。例えば、フレキシブル配線基板１０の他方の接続端は、アンテナユニットの一部を構成する配線基板（不図示）に実装されるケーブル用コネクタに接続される。
【００１８】
ケーブルとしてのフレキシブル配線基板１０は、図１に部分的に拡大されて示されるように、例えば、保護層に覆われた複数の導電層が形成される表層部１０Ｈを有する絶縁性基材１０Ｍと、表層部１０Ｈに向かい合う絶縁性基材１０Ｍの他方の表層部１０Ｂに配されるシールド板１０ＳＨＰとを含んで構成される。なお、フレキシブル配線基板１０の両端部は、互いに同一の構造を有するので一方の接続端部のみについて説明し、他方の端部の説明を省略する。
【００１９】
絶縁性基材１０Ｍは、例えば、所定の厚さを有する液晶ポリエステル（ＬＣＰ）、ガラスエポキシ樹脂、ポリイミド（ＰＩ）、ポリエチレンテレフタレート（ＰＥＴ）、あるいは、ポリエーテルイミド（ＰＥＩ）で成形されている。その保護層は、例えば、熱硬化型のレジスト層、あるいは、ポリイミドフィルムにより形成されている。
【００２０】
一方の端部の表層部１０Ｈおよび表層部１０Ｂには、その接続端部としての拡大部の端に段差部１０Ｅが形成されている。段差部１０Ｅは、フレキシブル配線基板１０がケーブル用コネクタ１６に接続される場合、後述するカバー部材１８の一対の突起片１８ｇａおよび突起片１８ｇｂにそれぞれ、係止される。また、所定の保護層で被覆される表層部１０Ｈにおける拡大部の中央部には、信号ライン用の導体パターンに接続されるコンタクトパッド（不図示）が形成されている。そのコンタクトパッドの両脇には、それぞれ、所定の間隔をもって接地ライン用導体パターンに接続される２つのコンタクトパッド（不図示）が形成されている。２つコンタクトパッドと、その中央のコンタクトパッドとは互いに略平行に形成されている。中央のコンタクトパッドにおける長手方向の長さは、２つのコンタクトパッドにおける長手方向の長さに比して小に設定されている。
【００２１】
表層部１０Ｂにおけるシールド板１０ＳＨＰは、保護層により被覆されている。絶縁性基材１０Ｍの保護層を被覆しているシールド板１０ＳＨＰにおける拡大部には、シールド板１０ＳＨＰに導通する一対のコンタクトパッド１０Ｓａが所定の間隔をもって略平行に形成されている。シールド板１０ＳＨＰは、一対のコンタクトパッド１０Ｓａおよび絶縁性基材１０Ｍ内のめっきスルーホールを介して上述の２つコンタクトパッドと貫通接続または層間接続されている。なお、層間接続においては、バイア（ビア）またはバンプが用いられても良い。
【００２２】
ケーブル用コネクタ１６は、配線基板PB上に半田付け固定されるコネクタ本体２０と（図３参照）、コネクタ本体２０を覆うように配されフレキシブル配線基板１０の拡大部を後述するコンタクト端子２２ａｉに向けて押圧するカバー部材１８とを含んで構成される。
【００２３】
ケーブル用コネクタ１６は、フレキシブル配線基板１０の接続端部が通過するケーブルスロットを一方の端部に有している。ケーブルスロットは、カバー部材１８の内周面とコネクタ本体２０の前壁２０ＦＷとの間に形成されている。
【００２４】
カバー部材１８は、例えば、導電性が良好な薄板金属材料でプレス加工により成形されている。カバー部材１８は、図１において、直交座標系におけるＸ座標軸、即ち、フレキシブル配線基板１０の着脱方向に沿って形成される両側壁部にそれぞれ、係止片部１８ＲＦと、係止片部１８ＬＦとを有している。また、カバー部材１８におけるＹ座標軸に沿った各端面には、コネクタ本体２０に向けて突出する一対の突起片１８ｇａおよび１８ｇｂと、折曲部１８ｇｃとが形成されている。
【００２５】
係止片部１８ＲＦと係止片部１８ＬＦとは、同一の構造を互いに有するので係止片部１８ＲＦについて説明し、係止片部１８ＬＦの説明を省略する。
【００２６】
係止片部１８ＲＦは、図２に示されるように、後述するコネクタ本体２０の係止爪２０ＲＮ２が挿入される矩形の第１の開口部１８Ｈ１と、後述する係止爪２０ＲＮ３が挿入される矩形の第２の開口部１８Ｈ２とを有している。第１の開口部１８Ｈ１と第２の開口部１８Ｈ２とは、共通の直線上に所定距離、離隔して形成されている。
【００２７】
係止片部１８ＲＦの両端における切欠部２０ＫＡ、および、２０ＫＢの周縁には、それぞれ、ガイド片２０ＰＡ、および、２０ＰＢが共通の直線上に形成されている。ガイド片２０ＰＡおよび２０ＰＢは、図４に示されるような、所定の治具３０の脚部３０ＬＡおよび３０ＬＢにそれぞれ、設けられる突起片３０ＰＡおよび３０ＰＢを案内支持するものとされる。
【００２８】
治具３０の突起片３０ＰＡおよび３０ＰＢは、図４に示されるように、矢印ＰＵが示す方向に沿って後述するコネクタ本体２０の各凹部に挿入され、カバー部材１８の係止片部１８ＲＦおよび１８ＬＦのガイド片２０ＰＡをその弾性に抗して略同時に側方に向けて押し広げ、カバー部材１８の一端をコネクタ本体２０から取り外すために使用される。
【００２９】
また、ガイド片２０ＰＡは、図５（Ａ）に示されるように、カバー部材１８が係止爪２０ＲＮ３および２０ＬＮ３の回りに回転される場合、係止爪２０ＲＮ１に係止される。
【００３０】
さらに、図１に示されるように、カバー部材１８が後述する第１の位置まで押し下げられる場合、係止片部１８ＲＦの下端が、係止爪２０ＲＮ２および２０ＲＮ３に受け止められるとともに、ガイド片２０ＰＡが係止爪２０ＲＮ１に係止され、また、ガイド片２０ＰＢが係止爪２０ＲＮ４に係止される。図２に示されるように、カバー部材１８がさらに第２の位置である最下端位置まで押し下げられる場合、係止爪２０ＲＮ２および２０ＲＮ３が、それぞれ、第１の開口部１８Ｈ１、第２の開口部１８Ｈ２の周縁の下端に係止される。
【００３１】
カバー部材１８における上面部には、４個の窪み１８ｄが所定の間隔をもって形成されている。カバー部材１８における図１におけるＹ座標軸に沿った二個の窪み１８ｄの中心間距離は、上述のフレキシブル配線基板１０の一対のコンタクトパッド１０Ｓａの中心間距離と一致している。カバー部材１８の内周面における各窪み１８ｄに対応する部分は、コンタクトパッド１０Ｓａに当接しフレキシブル配線基板１０を案内するように隆起部を部分的に形成している。
【００３２】
各切欠部２０ＫＢに隣接して上面部には、それぞれ、透孔１８ａが形成されている。各透孔１８ａには、カバー部材１８が上述の第２の位置をとるとき、図２に示されるように、後述するポスト２０ＲＰＢおよび２０ＬＰＢの上端部が挿入される。
【００３３】
カバー部材１８と一体に形成される係止部となる一対の突起片１８ｇａおよび１８ｇｂの相互間距離は、フレキシブル配線基板１０の段差部１０Ｅの相互間距離と一致している。一対の突起片１８ｇａおよび１８ｇｂの先端は、それぞれ、カバー部材１８が最下端位置まで押し下げられる場合、図２に示されるように、コネクタ本体２０の窪み２０ＧＡおよび２０ＧＢ（図３参照）に嵌合される。その際、カバー部材１８と一体に形成される折曲部１８ｇｃは、コネクタ本体２０の係止爪２０ＲＮ４と係止爪２０ＬＮ４との間に挿入される。
【００３４】
コネクタ本体２０は、図３に拡大されて示されるように、例えば、樹脂材料で成形され、ケーブル収容部２０Ａを中央部に有している。ケーブル収容部２０Ａは、その三方が互いに略平行に所定の間隔をもって形成される側壁２０ＲＷおよび２０ＬＷと、側壁２０ＲＷの一端と側壁２０ＬＷの一端とを連結する連結壁２０ＢＷとにより囲まれるとともに、上方がカバー部材１８により覆われることにより形成されている。コネクタ本体２０における上述のケーブルスロットの下部を形成する前壁２０ＦＷの平坦部には、一対の突起片１８ｇａおよび１８ｇｂがそれぞれ嵌合される窪み２０ＧＡおよび２０ＧＢが形成されている。
【００３５】
側壁２０ＲＷおよび２０ＬＷの両端の上端部には、それぞれ、係止爪２０ＲＮ１および２０ＲＮ４、係止爪２０ＬＮ１および２０ＬＮ４が一体に形成されている。
【００３６】
また、側壁２０ＲＷおよび２０ＬＷと連結壁２０ＢＷとが交差する部分には、それぞれ、ポスト２０ＲＰＢおよび２０ＬＰＢが形成されている。
【００３７】
側壁２０ＲＷは、係止爪２０ＲＮ１の真下となる位置に凹部を有している。係止爪２０ＲＮ１に対し離隔した下方となる位置であってその凹部の右側部分に所定距離、隣接した位置に、側壁２０ＲＷに形成される金属製の係止爪２０ＲＮ２が形成されている。係止爪２０ＲＮ２は、前壁２０ＦＷから外部に突出する半田付け固定端子部２０ＲＮｔ２を有している。係止爪２０ＲＮ２の幅は、係止爪２０ＲＮ１の幅よりも小に設定されている。これにより、係止爪２０ＲＮ１および係止爪２０ＲＮ２は、係止爪２０ＲＮ１の先端と係止爪２０ＲＮ２の先端とが、二段で互いに平行となるように形成されている。
【００３８】
側壁２０ＲＷは、係止爪２０ＲＮ４に対し離隔した下方となる位置であって係止爪２０ＲＮ２側に所定距離、隣接した位置に、側壁２０ＲＷに形成される金属製の係止爪２０ＲＮ３が形成されている。係止爪２０ＲＮ３は、連結壁２０ＢＷから外部に突出する半田付け固定端子部２０ＲＮｔ３を有している。係止爪２０ＲＮ３の幅は、係止爪２０ＲＮ４の幅よりも小に設定されている。これにより、係止爪２０ＲＮ３および係止爪２０ＲＮ４は、係止爪２０ＲＮ３の先端と係止爪２０ＲＮ４の先端とが、二段で互いに平行となるように形成されている。
【００３９】
その際、係止爪２０ＲＮ１の先端と係止爪２０ＲＮ４の先端とが共通の平面上にあり、係止爪２０ＲＮ２の先端と係止爪２０ＲＮ３の先端とが共通の平面上にある。金属製の係止爪２０ＲＮ２および係止爪２０ＲＮ３は、例えば、コネクタ本体２０とインサート成形されている。
【００４０】
一方、側壁２０ＬＷは、係止爪２０ＬＮ１の真下となる位置に凹部を有している。側壁２０ＬＷにおける係止爪２０ＬＮ１および２０ＬＮ４の相互間には、係止爪２０ＲＮ２および２０ＲＮ３に、それぞれ、対応する係止爪２０ＬＮ２および２０ＬＮ３（不図示）が形成されている。係止爪２０ＬＮ２は、前壁２０ＦＷから外部に突出する固定端子部２０ＬＮｔ２を有している。係止爪２０ＬＮ３は、連結壁２０ＢＷから外部に突出する固定端子部２０ＬＮｔ３を有している。
【００４１】
ケーブル収容部２０Ａには、複数のコンタクト端子２２ａｉ（ｉ＝１〜３）が互いに平行に図１におけるＹ座標軸に沿って所定の間隔で配列されている。コンタクト端子２２ａｉは、例えば、インサート成形により、コネクタ本体２０と一体化されている。コンタクト端子２２ａｉは、湾曲状の接点部２２ｃを先端に有する可動部２２ｍと、配線基板ＰＢに半田付け固定される固定端子部２２ｆ（図４参照）を有する固定部とから構成される。
【００４２】
フレキシブル配線基板１０の接続端部がケーブル収容部２０Ａに挿入されるとき、３本のうち両端にある２本のコンタクト端子２２ａｉの接点部２２ｃは、それぞれ、上述の２つのコンタクトパッドに当接される。また、中央に配置される残りのコンタクト端子２２ａｉの接点部２２ｃは、中央のコンタクトパッドに当接される。固定端子部２２ｆは、連結壁２０ＢＷから外方に向けて突出している。これにより、両端にあるコンタクト端子２２ａｉの固定端子部２２ｆは、基板の接地ライン用導体パターンに接続され、中央に配置されるコンタクト端子２２ａｉは、信号ライン用導体パターンに接続されることとなる。その際、２つのコンタクトパッドは、カバー部材１８の窪み１８ｄに対応する隆起部に当接している一対のコンタクトパッド１０Ｓａおよび絶縁性基材１０Ｍ内のめっきスルーホールを介してカバー部材１８に電気的に接続されている。斯かる場合において、フレキシブル配線基板１０の接続端部におけるコンタクトパッドに接続される信号ラインが、両脇の接地ラインおよびカバー部材１８により障害電波に対し遮蔽される、即ち、ＥＭＩシールドされることとなる。また、金属製のカバー部材１８の両側面部の第１の開口部１８Ｈ１、第２の開口部１８Ｈ２の周縁が、係止爪２０ＲＮ２および２０ＲＮ３、係止爪２０ＬＮ２および２０ＬＮ３に係止されるとき、固定端子部２０ＲＮｔ２および固定端子部２０ＲＮｔ３、固定端子部２０ＬＮｔ２および固定端子部２０ＬＮｔ３が、それぞれ、配線基板ＰＢの接地ライン用導体パターンに半田付け固定されるように構成されてもよい。これにより、カバー部材１８が、基板の接地ライン用導体パターンとの接続が強固になり、より安定したＥＭＩシールドとなる。
【００４３】
斯かる構成において、ケーブル用コネクタ１６のコンタクト端子２２ａｉの固定端子部２２ｆを、配線基板ＰＢにおける実装面に半田付け固定するにあたり、先ず、図１に示されるように、ケーブル用コネクタ１６において、カバー部材１８がコネクタ本体２０に対し第１の位置の状態で取付けられた状態で、例えば、部品実装機によりカバー部材１８の上面部が吸着保持されることとなる。第１の位置とは、カバー部材１８の係止片部１８ＲＦ、１８ＬＦのガイド片２０ＰＡ、２０ＰＢが、それぞれ、係止爪２０ＲＮ１，２０ＲＮ４、２０ＬＮ１、および、２０ＬＮ４に係止されるとともに、係止片部１８ＲＦ、１８ＬＦの下端部がそれぞれ、係止爪２０ＲＮ２，２０ＲＮ３、２０ＬＮ２、および、２０ＬＮ３に受け止められた状態をいう。その際、フレキシブル配線基板１０の接続端部（拡大部）が、一対の突起片１８ｇａ、１８ｇｂに干渉することなく、ケーブルスロットを通じてケーブル収容部２０Ａに挿入可能な状態とされる。これにより、カバー部材１８の上面部が部品実装機により吸着保持される場合、吸着保持されたカバー部材１８の上面部は、配線基板ＰＢの実装面に対し略平行に容易に配置することが可能とされる。
【００４４】
次に、ケーブル用コネクタ１６のコンタクト端子２２ａｉの固定端子部２２ｆが、配線基板ＰＢにおける実装面に半田付け固定された後、図１に示されるように、フレキシブル配線基板１０のコンタクトパッド１０Ｓａがカバー部材１８の内周面に向き合う状態で、フレキシブル配線基板１０の接続端部（拡大部）が、ケーブルスロットを通じてケーブル収容部２０Ａに載置される。
【００４５】
続いて、図２に示されるように、カバー部材１８がコネクタ本体２０に対し平行な状態で第２の位置まで押し下げられる。第２の位置とは、カバー部材１８の係止片部１８ＲＦ、および、１８ＬＦの開口部１８Ｈ１および１８Ｈ２の周縁が、それぞれ、係止爪２０ＲＮ２、２０ＲＮ３、２０ＬＮ２、および、２０ＬＮ３に係止されている状態をいう。その際、フレキシブル配線基板１０の段差部１０Ｅが、突起片１８ｇａおよび１８ｇｂにより係止するようケーブル収容部２０Ａに位置決めされるとともに、拘束される。これにより、フレキシブル配線基板１０の接続端部が、ケーブル用コネクタ１６に接続されることとなる。また、カバー部材１８の係止片部１８ＲＦ、および、１８ＬＦの開口部１８Ｈ１および１８Ｈ２の周縁が、それぞれ、係止爪２０ＲＮ２、２０ＲＮ３、２０ＬＮ２、および、２０ＬＮ３に係止されているのでフレキシブル配線基板１０が仮に引き回されても、カバー部材１８が容易に外れることがない。従って、フレキシブル配線基板１０が引き抜かれる虞もない。
【００４６】
一方、何らかの理由により、フレキシブル配線基板１０の接続端部が配線基板ＰＢに実装されたケーブル用コネクタ１６から取り外される場合、図４に示される治具３０がケーブル用コネクタ１６に対し使用される。治具３０の突起片３０ＰＡおよび３０ＰＢにより、カバー部材１８の係止片部１８ＲＦおよび１８ＬＦのガイド片２０ＰＡがその弾性に抗して略同時に側方に向けて押し広げられた後、図５（Ａ）に示されるように、カバー部材１８が係止爪２０ＲＮ３および２０ＬＮ３を中心として矢印Ｒの示す方向に所定角度だけ回転される場合、ガイド片２０ＰＡは、係止爪２０ＲＮ１、２０ＬＮ１に係止されることとなる。これにより、フレキシブル配線基板１０の接続端部は、カバー部材１８の内周面により押圧されず、ケーブルスロットの開口面積が増大するので接続端部をケーブル用コネクタ１６から容易に引き出すことが可能とされる。その際、カバー部材１８と、コネクタ本体２０とが容易に分離する虞もない。
【００４７】
そして、フレキシブル配線基板１０の接続端部が再度、ケーブル用コネクタ１６に接続される場合、フレキシブル配線基板１０のコンタクトパッド１０Ｓａがカバー部材１８の内周面に向き合う状態で、フレキシブル配線基板１０の接続端部（拡大部）が、ケーブルスロットを通じてケーブル収容部２０Ａに載置され、図５（Ｂ）に示されるように、カバー部材１８が係止爪２０ＲＮ３および２０ＬＮ３を中心として矢印Ｒの示す方向とは逆方向に所定角度だけ回転されるように操作される。これにより、カバー部材１８がコネクタ本体２０に対し上述の第２の位置に保持されることとなる。
【符号の説明】
【００４８】
１０    フレキシブル配線基板
１６    ケーブル用コネクタ
１８    カバー部材
１８Ｈ１    第１の開口部
１８Ｈ２    第２の開口部
２０    コネクタ本体
２０ＲＮ１、２０ＲＮ２、２０ＲＮ３、２０ＲＮ４    係止爪
２０ＬＮ１、２０ＬＮ２、２０ＬＮ３、２０ＬＮ４    係止爪
２２ａｉ    コンタクト端子
【図１】
2013118089.tif 000003
【図２】
2013118089.tif 000004
【図３】
2013118089.tif 000005
【図４】
2013118089.tif 000006
【図５】
2013118089.tif 000007